(57)【要約】      （修正有）【課題】簡単な構成でマスコット部材の向きを変更できるスイング玩具を提供する。【解決手段】スイング玩具１は、対向して配設されていて底面２ａが略円弧状に形成されていて揺動可能な一対の揺動支持部２と、揺動支持部２の間に連結されていて直交する縦溝部８ａと横溝部８ｂを有する十字型溝部８を設けた基部３と、基部３に設けた十字型溝部８のいずれか１つに装着させることで異なる向きに係脱可能な下端部の突出片９を有するマスコット部材４と、を備える。マスコット部材４は任意のキャラクターや動物や植物等の適宜のデザインのものを採用できる。マスコット部材４や揺動支持部２を押すことでスイング玩具１を揺動支持部２で揺動できる。【選択図】図１
0003229506.tif 000002
【実用新案登録請求の範囲】
【請求項１】
対向して配設されていて底面が略円弧状に形成されて揺動可能な一対の揺動支持部と、
前記一対の揺動支持部の間に連結されていて複数の係合部を設けた基部と、
前記基部に設けた前記複数の係合部のいずれか１つに装着させることで異なる向きに係
脱可能な係止部を有するマスコット部材と、
を備えたことを特徴とするスイング玩具。
【考案の詳細な説明】
【技術分野】
【０００１】
この考案は、揺動可能なスイング玩具及びその組み立て用キットに関する。
【背景技術】
【０００２】
従来、幼児や小児等のために移動したり揺動したりする玩具が提案されている。例えば
、揺動可能なスイング玩具は、動物等のぬいぐるみを載置させた支持部が円弧状に形成さ
れて床面に設置されている。そして、ぬいぐるみを押すことで支持部が前後に揺動するこ
とでスイング（揺動）させて、遊ぶことができる。
【０００３】
また、移動可能なぬいぐるみ玩具として、例えば特許文献１に記載された走行車が提案
されている。この玩具は前ホークと後ホークをハンドル部を押して揺動させることで、直
進可能である。そして、ハンドル部を横方向に切って前ホークを一方向に回動させるとス
プリングの弾性力で後ホークが反対側の方向に回動するようになっている。しかも、この
走行車にぬいぐるみをかぶせることで、ぬいぐるみが動くように設定している。
【先行技術文献】
【特許文献】
【０００４】
【特許文献１】特開２００５−３０４８５４号公報
【考案の概要】
【考案が解決しようとする課題】
【０００５】
しかしながら、前者の揺動玩具は単に円弧状の支持部で前後に揺動するだけで外観の変
化に乏しいために幼児に飽きられてしまうという欠点があった。後者の特許文献１に記載
の走行車のぬいぐるみは、前ホークと後ホークに操作するためのハンドル部や前ホークと
後ホークを連結するスプリング等が配設されており、構造と動作が複雑であり、製造コス
トが高いという問題があった。
【０００６】
本考案は、このような課題に鑑みてなされたものであり、低廉であり、簡単な構成でマ
スコット部材の向きを随時変更できるスイング玩具を提供することを目的とする。
本発明の他の目的は、簡単に組み立てて揺動可能で、マスコット部材の向きを随時変更
できるスイング玩具の組み立て用キットを提供することを目的とする。
【課題を解決するための手段】
【０００７】
本考案に係るスイング玩具は、対向して配設されていて底面が略円弧状に形成されて揺
動可能な一対の揺動支持部と、一対の揺動支持部の間に連結されていて複数の係合部を設
けた基部と、基部に設けた複数の係合部のいずれか１つに装着させることで異なる向きに
係脱可能な係止部を有するマスコット部材と、を備えたことを特徴とする。
本発明によるスイング玩具は、マスコット部材に例えば人や動物等のキャラクター等の
デザインが描かれており、このマスコット部材を押すことで、基部を介して揺動支持部が
略円弧状の底面で揺動してスイングさせることができる。しかも、基部は複数の係合部を
備えており、このいずれかの係合部にマスコット部材の係止部を係合させることで、揺動
支持部に対してマスコット部材を異なる向きに係合させて支持することができ、揺動方向
に対して異なる立ち位置でスイングさせることができる。
【０００８】
また、係合部は複数の異なる向きに溝が形成された受け入れ溝部であり、マスコット部
材の係止部を受け入れ溝部のいずれか１つに係合することができることが好ましい。
基部における受け入れ溝部の異なる向きに形成された複数の溝のいずれか１つにマスコ
ット部材の係止部を係合させることで、マスコット部材を異なる向きに保持することがで
きるため、揺動方向に対するマスコット部材の向きを選択できる。
【０００９】
また、受け入れ溝部は十字形状の溝であり、マスコット部材の係止部は十字形状の溝の
いずれか１つの溝に嵌合可能な下端部であることが好ましい。
マスコット部材の下端部を基部の十字形状のいずれか１つの溝に嵌合することで、マス
コット部材を基部の上に支持できる。
【００１０】
また、複数の揺動支持部には穴または凹部がそれぞれ形成され、基部の両側には穴また
は凹部にそれぞれ嵌合可能な凸部を有していることが好ましい。
揺動支持部の穴または凹部に基部の凸部を嵌合させることで基部と揺動支持部を互いに
連結できる。
【００１１】
本考案によるスイング玩具の組み立て用キットは、下面が略円弧状に形成された一対の
揺動支持部と、一対の揺動支持部の間に連結可能で複数の係合部を設けた基部と、基部に
設けた複数の係合部のいずれか１つに異なる向きで係脱可能な係止部を有するマスコット
部材と、揺動支持部、基部、マスコット部材を支持する台紙と、揺動支持部、基部、マス
コット部材を嵌め込む凹陥部によって台紙との間に収納可能なカバーと、を備えたことを
特徴とする。
本考案によれば、組み立て用キットの揺動支持部、基部、マスコット部材を収納して支
持する台紙からカバーを外すことで、揺動支持部、基部、マスコット部材を取り出し、一
対の揺動支持部に基部を連結し、更に複数の係合部の１つに係止部を嵌合させることでマ
スコット部材を起立状態で支持できる。
【考案の効果】
【００１２】
本考案に係るスイング玩具によれば、揺動支持部に連結された基部の係合部にマスコッ
ト部材を嵌合させることで、揺動支持部でスイング玩具全体を揺動させることができる。
しかも、基部で支持するマスコット部材の向きを随時変更して揺動することができる。
【００１３】
本考案に係るスイング玩具の組み立て用キットによれば、一対の揺動支持部と基部とマ
スコット部材を、台紙と凹陥部を有するカバーとの間に収納することができ、しかも、カ
バーを取り外すことで、台紙に収めた一対の揺動支持部と基部とマスコット部材とを簡単
に取り出して組み立ててスイング玩具を得られる。このスイング玩具と組み立て用キット
は特に幼児等の創造力を伸ばすのに役立つ。
【図面の簡単な説明】
【００１４】
【図１】本考案の実施形態によるスイング玩具の斜視図である。
【図２】図1に示すスイング玩具の基部からマスコット部材を分離した分解図である。
【図３】マスコット玩具の各部品を台紙とカバーに収納したキットの平面図である。
【図４】（ａ）、（ｂ）、（ｃ）は他のデザインのスイング玩具の組み立て用キットである。
【考案を実施するための形態】
【００１５】
以下、本考案の実施形態によるスイング玩具１とその組み立て用キット１０について図
１乃至図３に基づいて説明する。
図１及び図２は本考案の実施形態によるスイング玩具１を示すものであり、これらは例
えばアクリル樹脂等の合成樹脂製とされている。
このスイング玩具１は、例えば略半月状に形成された一対の揺動支持部２と、揺動支持
部２の間に連結される基部３と、基部３の上面に起立状態で係脱可能に嵌合されるマスコ
ット部材４とで構成されている。これら一対の揺動支持部２、基部３、マスコット部材４
は例えば所定厚みの平板状に形成されているが、これに代えて、立体形状を有していても
よい。特にマスコット部材４だけでも人形等の立体形状に形成してもよい。
【００１６】
一対の揺動支持部２、基部３、マスコット部材４は、図３に示す組み立て用キット１０
の平板状の台紙６上に載置されている。台紙６の上の揺動支持部２、基部３、マスコット
部材４は、その各形状に沿って形成された凹陥部を有するカバー５内に収められている。
そのため、揺動支持部２、基部３、マスコット部材４は台紙６とカバー５の凹陥部との間
に保持されて移動したり脱落したりしないように固定して収納されている。
以下に、揺動支持部２、基部３、マスコット部材４について図３に示す組み立て用キッ
ト１０に収納した平面形状の各部材を参考にして説明する。
【００１７】
揺動支持部２は下面が床面上を揺動可能な略円弧状の底面２ａに形成され、上面２ｂは
平面とされた略半円形状を有している。揺動支持部２の内側面には基部３を嵌合させるた
めの穴部２ｃまたは凹部が形成されている。
基部３は、適宜形状を採用可能であるが、図３では例えば四角形板状とされている。基
部３の対向する両側の厚み方向の側面３ａには揺動支持部２の穴部２ｃに嵌合するための
凸部３ｂがそれぞれ突出して形成されている。基部３の上面中央部には複数の係合部とし
て、十字形状の十字型溝部８が例えば打ち抜きで穴状に形成されている。十字型溝部８は
互いに直交する縦溝部８ａ及び横溝部８ｂで形成されている。十字型溝部８は揺動支持部
２の装着状態で、重心位置に形成することが好ましい。これによって、スイング玩具１を
一対の揺動支持部２で支持した際に、底面２ａが円弧状でも傾いたり倒れたりせず、起立
状態で保持される。
【００１８】
マスコット部材４は適宜形状のマスコットが平板状に形成されている。マスコットとし
て、図では子供の顔と身体が描かれているが、それ以外に漫画やアニメ等のキャラクター
、動物、植物、虫等、適宜のデザインのものを表示できる。このマスコット部材４の下端
部には、基部３の十字形状の十字型溝部８の任意の一方の縦溝部８ａまたは横溝部８ｂに
選択的に嵌合可能な板状の突出片９が形成されている。
【００１９】
本実施形態によるスイング玩具１は上述した構成を備えており、次にスイング玩具１の
組み立て用キット１０の組み立て方法について説明する。
スイング玩具１の組み立てに際して、まず、組み立て用キット１０用の平板状の台紙６
からカバー５を取り外し、一対の揺動支持部２、基部３、マスコット部材４を順次取り出
す。
次に、基部３の両側部３ａからそれぞれ突出する凸部３ｂに揺動支持部２の穴部２ｃを
それぞれ嵌め込む。これによって、揺動支持部２と基部３を台車状に一体化できる。次に
、基部３に形成した十字型溝部８の縦溝部８ａ及び横溝部８ｂの一方を選択してマスコッ
ト部材４の下端部に設けた突出片９を嵌合させる。縦溝部８ａ、横溝部８ｂの一方を選択
することで、マスコット部材４の向きが適宜角度、例えば９０度異なる。
【００２０】
揺動支持部２に直交する横溝部８ｂを選択してマスコット部材４の突出片９を嵌合させ
ると、図１に示すマスコット部材４が前向き構成のスイング玩具１が得られる。また、揺
動支持部２に平行な縦溝部８ａを選択してマスコット部材４の突出片９を嵌合させると、
図２に示す横向き構成のスイング玩具１が得られる。
なお、図４（ａ）、（ｂ）、（ｃ）は実施形態とは別のデザインを設けたスイング玩具
１の組み立て用キット１０を示すものである。
【００２１】
本実施形態によるスイング玩具１の使用時には、マスコット部材４や略半月型の揺動支
持部２を指で押すことで、揺動支持部２の円弧状の底面２ａで揺動するため、スイング玩
具１がスイング（揺動）することになる。その際、マスコット部材４は突出片９が一方の
横溝部８ｂに嵌合しているため、揺動支持部２に直交する前向き方向を向いている。その
ため、マスコット部材４は前後方向に揺動する。
また、マスコット部材４を十字型溝部８の一方の横溝部８ｂから取り外し、他方の縦溝
部８ａに嵌合して揺動させると、マスコット部材４は横向きの状態で前後方向に揺動する
ことになる。
【００２２】
上述のように、本実施形態によるスイング玩具１によれば、マスコット部材４や揺動支
持部２を押すことで、揺動支持部２の円弧状の底面２ａによって底面２ａに沿って揺動さ
せることができる。しかも、マスコット部材４を基部３の十字型溝部８の縦溝部８ａ及び
横溝部８ｂの一方から外して他方に嵌合して揺動することによって、異なる姿勢、向きで
スイング玩具１を揺動させることができる。
しかも、スイング玩具１を組み立てるには、組み立て用キット１０の平板状の台紙６か
らカバー５を取り外して一対の揺動支持部２、基部３、マスコット部材４を取り出し、基
部３に対して揺動支持部２とマスコット部材４をそれぞれ取り付けるだけで組み立てでき
る。そのため、各部品の組み立てが容易であり、子供や幼児でも安全且つ容易に組み立て
て遊ぶことができる。このスイング玩具１と組み立て用キットは特に幼児等の創造力を伸
ばすのに役立つ。しかも、製造コストが低廉である。
【００２３】
なお、本発明は上述の実施形態によるスイング玩具１及び組み立て用キット１０に限定
されることはなく、本発明の趣旨を逸脱しない範囲で適宜の変更や置換等が可能であり、
これらはいずれも本発明に含まれる。次に本発明の変形例について説明するが、上述した
実施形態と同一または同様な部分、部材には同一の符号を用いて説明する。
【００２４】
例えば、本実施形態によるスイング玩具１は、一対の揺動支持部２、基部３、マスコッ
ト部材４が台紙６とカバー５の間に収納された組み立て用キット１０を用いたが、本発明
はこのような構成に限定されない。
例えば、組み立て用キット１０は、一対の揺動支持部２、基部３、マスコット部材４か
らなる部品を収納した袋や箱等で構成してもよい。
また、合成樹脂製の棒状のアーム部に一対の揺動支持部２、基部３、マスコット部材４
を容易に分離可能に連結した組み立て用キット１０を採用してもよい。或いは、合成樹脂
製のプレート内に、一対の揺動支持部２、基部３、マスコット部材４の形状に応じた穴に
一対の揺動支持部２、基部３、マスコット部材４を収納させて細いアームで分離可能に連
結した組み立て用キット１０を採用してもよい。
【００２５】
また、本実施形態によるスイング玩具１は、複数の係合部として、基部３の十字型溝部
８の縦溝部８ａ及び横溝部８ｂにマスコット部材４の突出片９を選択的に嵌合するように
したが、マスコット部材４の突出片９を嵌合する溝部は十字型溝部８に限定されるもので
はない。例えば、係合部として、溝部を三本交差させた雪の結晶状に形成したり四本交差
させた「米」印状に形成したりしてもよい。或いは、複数の溝部を交差させることなく、
前後方向や横方向に並列に複数並べてもよい。
【００２６】
また、スイング玩具１の組み立て用キット１０に代えて、スイング玩具１を構成する揺
動支持部２と基部３、基部３とマスコット部材４を予め一体に形成していてもよい。
なお、本発明において、十字型溝部８は複数の係合部に含まれ、突出片９は係止部に含
まれる。基部３に設けた複数の係合部として溝部を形成し、これに係合する係止部として
マスコット部材４の下端部に突出片９を設けたが、本発明はこのような構成に限定されな
い。例えば、基部３の係合部として穴を形成し、マスコット部材４の係止部として穴に嵌
合可能なピン等を設けてもよい。また、係合部として基部にピンや突起を形成し、係止部
としてマスコット部材４の下端部に凹部や凹溝等を形成してピンや突起に係合させてもよ
い。
【符号の説明】
【００２７】
１  スイング玩具
２  揺動支持部
２ｃ  穴部
３  基部
３ｂ  凸部
４  マスコット部材
６  台紙
８  十字型溝部
８ａ  縦溝部
８ｂ  横溝部
９  突出片
【図１】
0003229506.tif 000003
【図２】
0003229506.tif 000004
【図３】
0003229506.tif 000005
【図４】
0003229506.tif 000006